(57)【特許請求の範囲】
【請求項１】
水平方向の一端に入口（６）及び他端に出口（７）を設けた本体（３）内に、養殖貝（７１）を搬送する搬送コンベア（２０）と、養殖貝を上方から抑えながら送る保持コンベア（３０）を回転可能に取付け、前記両コンベア（２０、３０）のそれぞれ中央付近で上下に対向させた洗浄面（５６）に、上下両側から洗浄水を噴射する噴射ノズル（７８）を有した洗浄機構（７５）をそれぞれ取付けた洗浄装置（１）において、
前記本体（３）の正面側の前記入口（６）から出口（７）にかけて養殖紐（７０）を通過させるスリット溝（９）を前記搬送コンベア（２０）の搬送面と同一高さで水平方向に形成し、前記洗浄装置（１）の正面中央に設けたスリット溝（９）は、該スリット溝の内側上下両端にひさし片（１０）をそれぞれ無端ベルト（２１，３１）方向に張り出して設けてなり、前記搬送コンベア（２０）と保持コンベア（３０）を構成する無端ベルト（２１、３１）は、同一形状に形成した多数の連結片（４１、５１）をそれぞれ互い違いに組み合わせて網目状に形成してなることを特徴とする養殖貝の洗浄装置。
【発明の詳細な説明】
【技術分野】
【０００１】
本発明は帆立貝、牡蠣など、養殖貝の洗浄装置の改良に関する。
【背景技術】
【０００２】
従来、帆立貝や牡蠣などの二枚貝（以下、養殖貝という。）の養殖方法は多種多様であるが、いわゆる吊下げ式の養殖方法は、養殖貝の耳と呼ばれる部分にそれぞれ孔を開け、この養殖貝をテグスや合成樹脂製の吊りピンなどで結んで2個を一組として養殖紐に多数取付け、この養殖紐をそれぞれブイで水平方向に這わせた元綱に一定間隔で結んで海中に垂らして生育させる方法である。この吊下げ式の養殖方法は、砂地で生育させる養殖方法に比べ、養殖貝が砂を含まないことから広く行われている。
【０００３】
養殖貝は、稚貝の養殖を始めてから出荷するまでには通常2年から３年間海中で生育させる。その間、養殖貝は海中に吊るされたままの状態であるため、養殖貝の表面に海中で浮遊するイガイやふじつぼ、または、各種の海草などが付着し養殖貝の生育と共にこの付着物も成長する。
【０００４】
そのため、養殖貝の表面にこれら付着物が付着することにより潮の流れが悪くなって生育が遅れたり、付着物の密生によりプランクトンの不足により養殖貝が死んだり、または、付着物により養殖貝同士が絡まったりして養殖貝の養殖効率を著しく低下させている。さらにはまた、養殖貝の洗浄作業を怠ると、出荷時に海中から養殖貝を引き上げたとき、養殖貝に付着した付着物の除去作業が大変である。そのため、吊下げ式の養殖貝の養殖では、養殖貝の表面に付いた付着物を定期的に除去する洗浄作業が海上で行われている。
【０００５】
前記洗浄装置で洗浄作業を行う場合、海中に張ってある元綱に一定間隔で一端を結んである養殖紐の結び目を解き、該養殖紐の一端を握って海中から引き上げて洗浄装置の入口から挿入して出口側に引き出し、再度元綱に養殖紐の一端を結ぶ作業が行われている。この間に、養殖貝は巻き上げローラにより引き上げられて、入口側からコンベアにより搬送されて洗浄されながら出口側に移動し、ガイドシュータを伝って自重で海中に戻すことにより行われている。
【０００６】
例えば、帆立貝の洗浄を行う洗浄装置には、帆立貝を吊下げたままの養殖紐を海中から引き上げて装置内に取付けたコンベアで搬送しながらブラシや加圧流体で洗浄する洗浄装置が知られている。
【０００７】
さらには、海中から引き上げた養殖貝を上下両面に取付けたコンベアベルトの間を通過させて洗浄しながら出口側に移動し、ガイドシュータを伝って自重で海中に戻すことにより行われている洗浄装置も知られている。
【先行技術文献】
【特許文献】
【０００８】
【特許文献１】実開昭６１−１１５０６０号
【特許文献２】特開２０００−２３５９２号
【０００９】
前記洗浄装置に使用されているコンベアべルトは、海水による錆つきを防止するため多くはステンレス材により形成したコンベアベルトが使用され、これらのコンベアベルトは、コンベアベルトの取付位置の外側（二重コンベア）から高圧水を噴射するため、水勢が弱くなり洗浄効率が落ちるという問題点を有している。
【００１０】
さらには、コンベアを構成する走行体は複数本の細長板をそれぞれクランク型に連続して折曲げて形成し、該細長板を互いの山部を空間部の内側に嵌合させ、嵌合した二つの細長板のそれぞれ設けた通孔の連結軸を貫通させて嵌合部を回転可能に連結し、この連結の繰返しにより多数本を連結して網状に形成してある。そのため、走行体を構成する細長板を、クランク型に連続して折曲げて形成する作業が困難であるため製造コストが高くなるという問題点を有している。
【発明の概要】
【発明が解決しようとする課題】
【００１１】
本発明が解決しようとする課題は、洗浄装置に取付けるコンベアベルトに養殖紐や養殖貝が絡まって機械や貝が破損するのを防止して生産効率の向上を図り、さらには、洗浄装置をコンベアベルトの中央に位置させて一重のベルトの間から噴射させて洗浄効率の向上を図り、且つ、コンベアベルトの連結片を単体にして製造工程を容易にすることにより製造コストの軽減を図ることを目的とするものである。
【課題を解決するための手段】
【００１２】
上記課題を解決するため本発明は、水平方向の一端に入口６及び他端に出口７を設けた本体３内に、養殖貝７１を搬送する搬送コンベア２０と、養殖貝を上方から抑えながら送る保持コンベア３０を回転可能に取付け、前記両コンベア２０、３０のそれぞれ中央付近で上下に対向させた洗浄面５６に、上下両側から洗浄水を噴射する噴射ノズル７８を有した洗浄機構７５をそれぞれ取付けた洗浄装置１において、前記本体３の正面側の前記入口６から出口７にかけて養殖紐７０を通過させるスリット溝９を前記搬送コンベア２０の搬送面と同一高さで水平方向に形成し、前記洗浄装置１の正面中央に設けたスリット溝９は、該スリット溝の内側上下両両端にひさし片１０をそれぞれ無端ベルト２１，３１方向に張り出して設けてなり、前記搬送コンベア２０と保持コンベア３０を構成する無端ベルト２１、３１は、同一形状に形成した多数の連結片４１、５１をそれぞれ互い違いに組み合わせて網目状に形成してなることを特徴とする。
【００１３】
したがって、前記洗浄装置１は、本体３の中央にスリット溝９を開口したことにより、海中から引き上げた養殖紐７０の先端を手から離すことなく本体３の入口６から出口７まで開口したスリット溝９を挿通させて洗浄することができるので、誤って紐を海中に落下させるおそれがなく、確実に養殖紐７０を出口側に引き出して再度元綱に結ぶことができるので作業効率の向上を図ることができ、前記搬送コンベア２０と保持コンベア３０の無端ベルト２１、３１の連結片４１を断面コ字型に形成して網目を大きくしたことにより、洗浄水を効率よく被洗浄物に噴射して効率よく付着物を除去することができる。前記スリット溝９は、内側にひさし片１０を張り出させたことにより、洗浄中に洗浄水の飛沫が飛び散るのを防止することができ、また、スリット溝９の上下幅を養殖紐７０が挿通可能な狭幅に形成してあるため、誤って洗浄面５６に手を差し込むことがなく安全に洗浄作業を行うことができる。
【図面の簡単な説明】
【００１４】
【図１】本発明にかかる洗浄装置で養殖貝の洗浄状態を示す正面図である。
【図２】洗浄装置の左側面図である。
【図３】養殖貝の排出状態を示す洗浄装置の右側面図である。
【図４】洗浄装置に取付けた搬送コンベアと、保持コンベアの摸式図で、保持コンベアに複数のテンション調整部を取付けた状態の摸式図である。
【図５】固定テンション調整部の要部拡大側面図である
【図６】従道軸に取付けた固定テンション調整部の要部拡大断面図である
【図７】無端ベルトの要部拡大平面図である。
【図８】無端ベルトの要部拡大側面図である。
【図９】無端ベルトの要部拡大斜視図である。
【図１０】ベルト部を構成する第１連結片の平面図である。
【図１１】第１連結片の中央横断面図である。
【図１２】第１連結片にスペース筒を取付けた実施例を示す断面図である。
【図１３】第１連結片を貫通した連結軸に係止ピンを取付けた実施例を示す平面図である。
【図１４】第２連結片の平面図である。
【発明を実施するための形態】
【００１５】
本発明の実施の形態を図面に基づいて説明すると、図１は本発明にかかる洗浄装置で養殖貝の洗浄状態を示す正面図、図２は洗浄装置の左側面図、図３は養殖貝の排出状態を示す洗浄装置の右側面図、図４は洗浄装置に取付けた搬送コンベアと、保持コンベアの摸式図で、保持コンベアに複数のテンション調整部を取付けた状態の摸式図である。本発明に係る洗浄装置１は、作業船の船縁に取付けて使用するもので、架台２上に設けた本体３の内部に、海中から引き上げた養殖紐７０に吊下げた養殖貝７１を搬送する搬送コンベア２０と、搬送された養殖貝が水圧により貝内に海水が入るのを防止すると共に、貝を上面から押さえて水平方向に位置させて安定させることにより効率よく噴射させて洗浄する保持コンベア３０と、搬送された養殖貝７１の表面に付着した不純物を除去する洗浄機構７５をそれぞれ収容し、前記洗浄装置１の入口側６には海中の養殖貝７１を吊下げた養殖紐７０をスムースに引き上げるための巻上げドラム１１を取付け、他方の出口側７には洗浄後の養殖貝７１をスムースに海に戻すための排出シューター１５を取付けてある。
【００１６】
前記洗浄装置１に取付けた架台２は、洗浄装置１を船縁に取付ける際、船上の所定箇所に設けた固定枠（図示せず）に調整可能に取付けることができ、また、この架台２の中央には洗浄機構７５に海水を圧送するポンプ（図示せず）に連通する送水管の開閉バルブ（図示せず）を取付けてある。
【００１７】
前記本体３は、図１に示すごとく、養殖貝７１を搬送する搬送コンベア２０を収容した下部体４と、搬送された養殖貝７１を上面から押さえて養殖貝の上下向きを安定させながら搬送する保持コンベア３０を収容した上部体５とからなり、前記搬送コンベア２０と保持コンベア３０とが水平方向に対面する洗浄面５６の左右両側に入口６と出口７をそれぞれ設け、前記本体３の入口６側から出口７側に亙り、前記搬送コンベア２０の搬送面とほぼ同一高さで水平方向に前記養殖紐７０を引き出すスリット溝９を開口してある。
【００１８】
前記スリット溝９は、前記下部体４の内側上端と上部体５の内側下端にそれぞれベルト部２２、３２方向にひさし片１０を張り出して設け、洗浄機構７５の洗浄水がスリット溝９から外に飛び散るのを防止している。また、このスリット溝９の上下幅は、養殖紐が挿通可能な幅に形成してあるため、誤って洗浄面５６に手を差し込むことによる怪我を防止している。
【００１９】
前記本体３内に収容した搬送コンベア２０や保持コンベア３０および巻上げドラム１１は、それぞれ本体３に内蔵した駆動モータ（図示せず）により駆動し、洗浄機構７５は本体３の上部に設けた駆動モータ７７によりそれぞれ回転駆動させ、養殖貝を洗浄する洗浄水は、海水をポンプ（図示せず）で汲み上げて噴射させてある。
【００２０】
前記本体３の入口側６に取付けられた巻上げドラム１１は、海中から引き上げた養殖紐７０に吊下げてある養殖貝７１を容易に引き上げることができるもので、この巻上げドラム１１のドラム部１２と、本体３の入口６との間に搬送板１３を取付け、海中から引き上げた養殖貝７１をスムースに搬送コンベア２０に送るようにしてある。
【００２１】
１５は排出シューターで、前記本体３の出口側７に取付けて洗浄後の養殖貝７１をこの排出シューター１５で滑らせて海中に戻すことにより、養殖貝７１を傷つけることなくスムースに海中に戻すことができる。
【００２２】
この排出シューター１５は、図３に示すごとく、シューターの中間底面に貝回収口１６を設け、洗浄中に養殖紐７０から離脱した養殖貝７１を海に落とすことなく回収するものである。この貝回収口１６は、排出シューター１５の下側底板に隙間を設けて離脱した養殖貝を落下させ、下側底板の傾斜方向と反対方向に傾斜させた貝受け板１７を取付け、前記隙間から落下した養殖貝が海に落ちるのを防止している。
【００２３】
搬送コンベア２０は、図４に示すごとく、下部体４内に収容され、入口側６に軸支した駆動スプロケット２６と、出口側７に軸支した従動スプロケット２７との間に水平な洗浄面５６を形成し、下部体４の下方にそれぞれ軸支した他の従動スプロケット２７を介して無端ベルト２１をエンドレスで回転可能に環回してある。  
【００２４】
保持コンベア３０は、図４に示すごとく、上部体５内に収容され、入口側６に軸支した駆動スプロケット３４と、出口側に軸支した従動スプロケット３６ａとの間に抑えローラ３５を取付け、該抑えローラを前記無端ベルと２１方向に弾発させて前記洗浄面５６と並行に位置させ、上部体５に軸支した他のスプロケット３６を介して無端ベルト３１をエンドレスで回転可能に環回してある。
【００２５】
前記抑えローラ３５は、前記駆動スプロケット３４の支持軸３４ａに枢動可能に軸支され、本体３内に送られた養殖貝７１の表裏を上下方向に矯正させると共に、該抑えローラと保持コンベア３０の自重とで洗浄中に養殖貝が動くのを防止している。
【００２６】
さらには、海中から引き上げられた養殖貝７１は、貝の方向がばらばらの状態で上がってくるため、搬送面に対し貝の表面方向が横を向いて洗浄されると、養殖貝の中に海水が入って貝が死んだり、貝の両面に洗浄水が十分に当たらず、洗浄むらができて洗浄効率が悪くなるのを防止することができる。
【００２７】
前記保持コンベア３０は、洗浄面５６において搬送コンベア２０と互いに並行に対面することから、無端ベルトが３１がたわんで搬送コンベア２０の無端ベルト２１とベルト同士が当たると、洗浄中の養殖貝７１や養殖紐７０と無端ベルト３１が絡んだりするおそれがある。これらの絡みつきによる故障が発生すると洗浄作業を中断したり、無端ベルト３１が破損したりするおそれがある。そこで、無端ベルト３１のたわみによる前記故障を防止するため、保持コンベア３０に固定テンション調整部６０と可動テンション調整部６５をそれぞれ取付けて無端ベルト３１が下方にたわむのを防止している。
【００２８】
前記固定テンション調整部６０は、図４、５、６に示すごとく、前記上部体５の出口側上部に位置した従動スプロケット３６ｂを軸承してある従動軸３７の両端を、前記上部体５の壁面で水平方向に設けた軸受溝３９に挿通し、上部体５の出口側壁面に設けた保持部６３に軸支させたねじ軸６１の先端を前記従動軸３７の両端に軸心方向と直角方向に設けたねじ孔３８にそれぞれ螺合し、該ねじ軸の後端を前記上部体５の出口側壁面外側に突出させて操作ハンドル６２を固着し、該操作ハンドルを回転させることにより軸受溝３９内の従動軸３７を前後動させて保持コンベア３０の無端ベルト３１を調整可能に形成してある。
【００２９】
前記保持コンベア３０に取付けた可動テンション調整部６５は、図４に示すごとく、上部体５に一端を枢動可能に支持した支持片６７の下端に押圧ローラ６６を回動可能に軸支し、該押圧ローラを保持コンベア３０の無端ベルト３１を外側から当接させ、該押圧ローラをばね６８で常に内側方向に付勢させてある。
【００３０】
保持コンベア３０を可動テンション調整部６５で常に内側方向に付勢させることにより、想定外の大きさの養殖貝が海中から引き上げられたとき、そのまま洗浄面５６に搬送されると、大きな貝が保持コンベア３０の抑えローラ３５を通過する際、抑えローラ３５が大きく上方に押し上げられて無端ベルト３１がたわむのを可動テンション調整部６５でその撓みを吸収することにより無端ベルト３１が搬送ベルト１５の表面に当たるのを防止している。
【００３１】
前記搬送コンベア２０と保持コンベア３０を構成する無端ベルト２１、３１は、図７に示すごとく、金属製のベルト部材、特に塩害に対する耐食性を有するステンレス板材により同一形状に形成した多数の連結片４１をそれぞれ互い違いに連続して連結し、幅方向両端に位置した連結片４１をそれぞれ結合片２４で互いに連結して形成してある。
【００３２】
前記無端ベルト２１、３１を構成する第１の実施の形態を示す第１連結片４１は、図１０、１１に示すごとく、一対の平行な長辺部４２と該長辺部の一端を短辺部４４で一体に連結して断面コ字型に形成し、前記長辺部３２の側面長手方向に複数の通孔４３を設けてある。
【００３３】
前記第１連結片４１の組み合わせは、図９に示すごとく、それぞれ同一方向に位置させた任意の連結片４１ａの長辺部４２ａに設けた第２通孔４３ｂと、他の連結片４１ｂの長辺部４２ｂに設けた第１通孔４３ａとを合致させると共に、互いの長辺部４２ａ、４２ｂを接合させるごとく、それぞれ互い違いに連続して長辺部を接合させて長さ方向または幅方向を任意長さと幅に形成し、幅方向の両端にそれぞれ位置した結合片２４の通孔と、前記各連結片４１の通孔４３とを連結軸４６で貫通させて連結することにより無端ベルト２１、３１を形成してある。
【００３４】
前記第１連結片４１は、図１２に示すごとく、並行に位置した長辺部４２の間で第２通孔４３ｂと合致する位置にスペース筒４７をそれぞれ介在させて連結軸４６を貫通させて連結してベルト部２２、３２を形成することにより、経年変化により各連結片が幅方向にガタつくことなく、スムースに回転させることができる。
【００３５】
また、図１３に示すごとく、前記第１連結片４１を連結する場合、並行に位置した長辺部４２の第２通孔４３ｂに挿通する連結軸４６に、長辺部４２の第２通孔３３ｂに挿通した連結軸４６の内側連結軸に係止ピン４８をそれぞれ取付けてなり、連結軸４６に係止ピン４８を介在させることにより、第１連結片４１が幅方向に移動してガタつくことなくスムースに回転させることができる。
【００３６】
図１４は前記連結片の第２の実施形態を示す第２連結片５１で、それぞれ並行に位置した長辺部５２と短辺部５３とで断面ロ字型の矩形に形成し、長辺部５２の側面に複数の通孔５４をそれぞれ設けてある。この第２連結片５１の組み合わせは、前記第１連結片４１と同様に、任意連結片の第２通孔５４ｂと他の連結片の第１通孔を合致させて長辺部５２を互い違いに接合させて長さ方向または幅方向に連続して形成し、幅方向両端に位置した結合板２３の通孔とそれぞれ第２連結片５１の通孔５４とに連結軸４６を貫通させて無端ベルト２１、３１を形成してある。
【００３７】
前記無端ベルト２１、３１は、各連結片４１の間隔を広くして網目を粗くしたことにより、養殖貝７１をしっかりと保持しながら移動させることができ、また、洗浄機構７５による洗浄水を噴射したときの水の通りが良いため、養殖貝７１の洗浄を効率的に行うことができる。
【００３８】
前記洗浄機構７５は、図１に示すごとく、前記本体３に収容した搬送コンベア２０と保持コンベア３０の中央に取付けた支持板７６に、それぞれ送水管を回転可能に取付け、該送水管の先端を複数に分岐させた分岐管７７の先端に噴射ノズル７８をそれぞれ取付けて形成してある。
【００３９】
この噴射ノズル７８の先端は、前記搬送コンベア２０の洗浄面５６に向けて上下方向から噴射可能に位置させ、本体３の上面に取付けた駆動モータ７９から減速機（図示せず）とチェーン（図示せず）を介して送水管を回転させることにより、洗浄面５６にむらなく洗浄水を噴射させることができる。
【００４０】
以下、本発明に係る洗浄装置１の作用について説明すると、洗浄作業工程は、養殖貝７１を吊下げてある養殖紐７０を元綱から解いて、洗浄装置１の入口側６からスリット溝９に挿通して養殖貝７１を巻き上げドラム１１により引き上げて搬送コンベア２０上に搬送する。
【００４１】
前記養殖紐７０は、スリット溝９から本体３の外側に出して出口方向に移動させ、出口側７に移動した養殖紐７０を再度海中に張ってある元綱に結ぶことにより、該養殖紐に吊下げられている養殖貝７１は順次洗浄された後、排出シュータ１５から自重で海中に落下して吊り下がることにより洗浄作業が完了する。
【００４２】
養殖貝７１の洗浄作業において、海中から引き上げた養殖紐７０をスリット溝９を通過させることにより、養殖紐７０を誤って海中に落下させるおそれがなく、確実に養殖紐７０を出口側に引き出して再度元綱に結ぶことができるので作業効率の向上を図ることができる。
【００４３】
前記スリット溝９は、内側にひさし部１０を張り出させたことにより、洗浄中に洗浄水の飛沫が飛び散るのを防止することができ、また、スリット溝９の上下幅を養殖紐７０が挿通可能な狭幅に形成してあるため、誤って洗浄面５６に手を差し込むことがなく安全に洗浄作業を行うことができる。
【００４４】
次いで、巻き上げドラム１１により引き上げられた養殖貝７１は、入口６に取付けた感知バー（図示せず）に養殖貝が当たった刺激により養殖貝は口を閉じながら保持コンベア３０の抑えローラ３５で表裏を上下方向に矯正させて搬送コンベア２０と保持コンベア３０の間に狭持されて洗浄面５６方向に移動する。
【００４５】
養殖貝７１の口を閉じさせて表裏方向を上下にすることにより、洗浄中に養殖貝の中に水圧の高い洗浄水が入いって死ぬのを防止し、且つ、養殖貝７１の表裏両面に洗浄水を十分に当たてることにより洗浄むらを防止し、洗浄効率の向上を図ることができる。  
【００４６】
保持コンベア３０に取付けた固定テンション調整部６０は、洗浄作業開始前に予め従動スプロケット３６ｂの従道軸３７に螺合させたねじ軸６１を上部体５の側面に取付けた操作ハンドル６２を回動させてテンションを調整することにより、保持コンベア３０がたわんで搬送コンベア２０と当たるのを防止することができる。
【００４７】
可動テンション調整部６５は、保持コンベア３０の出口側の上下従動スプロケット３６ａ、３６ｂの中間に取付け、無端ベルト部３１の外側から押圧ローラ６６で、内側方向にばね５４で常に付勢させて張を持たせてある。したがって、洗浄中に想定外の大きさの養殖貝が引き上げられて保持コンベア３０の抑えローラ２８に当たった場合、抑えローラ２８は養殖貝７１の通過に伴い大きく上方に回動することにより無端ベルト３１がたわむのを可動テンション調整部６５で吸収することにより、養殖紐７０や養殖貝７１が無端ベルトと絡んだりする故障を防止することができる。
【符号の説明】
【００４８】
１    洗浄装置
２    架台
３    本体
４    下部体
５    上部体
６    入口
７    出口
９    スリット溝
１１  巻上ドラム
１５  排出シュータ
１６  貝回収口
２０  搬送コンベア
２１  無端ベルト
２３  結合片
２６  駆動スプロケット
２７  従動スプロケット
３０  保持コンベア
３１  無端ベルト
３４  駆動スプロケット
３５  抑えローラ
３６  従動スプロケット
３７  従動軸
３８  ねじ孔
４１  第１連結片
４２  長辺部
４３  通孔
４４  短辺部
４６  連結軸
５１  第２連結片
５２  長辺部
５３  短辺部
５４  通孔
５６  洗浄面
６０  固定テンション調整部
６１  ねじ軸
６２  操作ハンドル
６５  可動テンション調整部
６６  押圧ローラ
６７  支持部片
６８  ばね
７０  養殖紐
７１  養殖貝
７５  洗浄機構
７８  噴射ノズル
【図１】
0005537314.tif 000002
【図２】
0005537314.tif 000003
【図３】
0005537314.tif 000004
【図４】
0005537314.tif 000005
【図５】
0005537314.tif 000006
【図６】
0005537314.tif 000007
【図７】
0005537314.tif 000008
【図８】
0005537314.tif 000009
【図９】
0005537314.tif 000010
【図１０】
0005537314.tif 000011
【図１１】
0005537314.tif 000012
【図１２】
0005537314.tif 000013
【図１３】
0005537314.tif 000014
【図１４】
0005537314.tif 000015